(57)【特許請求の範囲】
【請求項１】
電子マネー用ＩＣカード機能を提供する、外部のリーダライタ装置と無線通信する複数のデータキャリア手段と、
前記複数のデータキャリア手段のうち利用可能なデータキャリア手段を切り替える切替制御手段と、を備える携帯端末装置において、
前記複数のデータキャリア手段は、それぞれに異なるカテゴリが指定されており、
前記切替制御手段は、前記外部のリーダライタ装置と無線通信する複数のデータキャリア手段のうち、現在地の情報に基づいて、何れか一のカテゴリが指定されるデータキャリア手段を利用可能とするよう切り替える
ことを特徴とする携帯端末装置。
【請求項２】
前記複数のデータキャリア手段は、それぞれに異なるカテゴリが指定されている請求項１に記載の携帯端末装置。
【請求項３】
前記複数のデータキャリア手段は、前記電子マネー用ＩＣカード機能の金額管理に利用され、当該電子マネーの残高をそれぞれに管理することが可能であることを特徴とする請求項１または２に記載の携帯端末装置。
【請求項４】
前記カテゴリは前記電子マネー用ＩＣカード機能の使用者名であることを特徴とする請求項２に記載の携帯端末装置。
【請求項５】
計時手段を備え、
前記切替制御手段は、前記計時手段により識別される時間帯及び／又は曜日に対応付けたカテゴリが指定される前記データキャリア手段を利用可能とするよう切り替えることを特徴とする請求項２または４に記載の携帯端末装置。
【請求項６】
予定を記憶するスケジュール記憶手段を備え、
前記切替制御手段は、前記スケジュール記憶手段に記憶された予定内容に対応付けたカテゴリが指定される前記データキャリア手段を利用可能とするよう切り替えることを特徴とする請求項２、４または５の何れか一に記載の携帯端末装置。
【請求項７】
前記データキャリア手段は２つ備えられ、
前記切替制御手段は、一方の前記データキャリア手段を前記スケジュール記憶手段に予定が登録されている日時に利用可能とし、他方の前記データキャリア手段を前記スケジュール記憶手段に予定が登録されていない日時に利用可能とするよう切り替えることを特徴とする請求項６に記載の携帯端末装置。
【請求項８】
前記切替制御手段は、前記データキャリア手段への給電／非給電を制御することによって何れか一のカテゴリが指定される前記データキャリア手段を利用可能とすることを特徴とする請求項２または４乃至７の何れか一に記載の携帯端末装置。
【発明の詳細な説明】
【技術分野】
【０００１】
本発明は、電子マネー用ＩＣカード機能を提供する複数のデータキャリア手段を備えた携帯電話、ＰＤＡ（Personal Digital Assistant）、デジタルカメラ、通信機能を有する腕時計等の携帯端末装置に関する。
【背景技術】
【０００２】
下記特許文献１には、データキャリア装置の一種であるＩＣカードと同様の機能（ＩＣカード機能）を組み込んだ携帯電話（携帯端末装置）が開示されている。ＩＣカードは、周知のように情報記憶機能及び外部通信機能を備えたＩＣチップ等をカード状の筐体内に実装したものであり、電子認証、定期券、キャッシュカード、或いはプリペイド方式の電子マネーの金額管理等の各種サービスを媒介する携帯記憶装置である。
【先行技術文献】
【特許文献】
【０００３】
【特許文献１】特開２００３−６７６９２号公報
【発明の概要】
【発明が解決しようとする課題】
【０００４】
ところで、従来、自己所有の携帯電話の他、会社から支給された携帯電話をも携行することがある。そういった場合、状況の公私の別に応じて携帯電話を使い分けるが、使用する方の携帯電話を選んで取り出さなければならないので面倒であり、そもそも複数の携帯電話を持ち歩かねばならないので煩わしい。
また、従来、一台の携帯電話を例えば家族など複数人で共用することがある。そういった場合、電子マネーの金額管理に利用されるＩＣカード機能をも複数人で共用するとなると、誰が幾ら使ったかが判り難いという不都合がある。
【０００５】
本発明は、上述した事情に鑑みてなされたものであり、ＩＣカード機能を提供するデータキャリア手段を備えた携帯端末装置の利便性を向上させることを目的とする。
【課題を解決するための手段】
【０００６】
上記課題を解決するために、本発明では、本発明に係る第１の手段として、電子マネー用ICカード機能を提供する複数のデータキャリア手段と、前記複数のデータキャリア手段のうち利用可能なデータキャリア手段を切り替える切替制御手段と、を備える携帯端末装置において、前記切替制御手段は、前記複数のデータキャリア手段のうち、何れか一のデータキャリア手段のみを利用可能とするよう切り替えるようにした。
本発明に係る第２の手段として、上記第１の手段において、前記複数のデータキャリア手段は、それぞれに異なるカテゴリが指定されているようにした。
【０００７】
本発明に係る第３の手段として、上記第１または２の手段において、前記複数のデータキャリア手段は、前記電子マネー用ICカード機能の金額管理に利用され、当該電子マネーの残高をそれぞれに管理することが可能であるようにした。
【０００８】
本発明に係る第４の手段として、上記第２の手段において、前記カテゴリは前記電子マネー用ICカード機能の使用者名であるようにした。
【０００９】
本発明に係る第５の手段として、上記第２または４の手段において、計時手段を備え、前記切替制御手段は、前記計時手段により識別される時間帯及び／又は曜日に対応付けたカテゴリが指定される前記データキャリア手段を利用可能とするよう切り替えるようにした。
【００１０】
本発明に係る第６の手段として、上記２、４または５の何れか一の手段において、予定を記憶するスケジュール記憶手段を備え、前記切替制御手段は、前記スケジュール記憶手段に記憶された予定内容に対応付けたカテゴリが指定される前記データキャリア手段を利用可能とするよう切り替えるようにした。
【００１１】
本発明に係る第７の手段として、上記第６の手段において、前記データキャリア手段は２つ備えられ、前記切替制御手段は、一方の前記データキャリア手段を前記スケジュール記憶手段に予定が登録されている日時に利用可能とし、他方の前記データキャリア手段を前記スケジュール記憶手段に予定が登録されていない日時に利用可能とするよう切り替えるようにした。
【００１２】
本発明に係る第８の手段として、上記２または４乃至７の何れか一の手段において、前記切替制御手段は、前記データキャリア手段への給電／非給電を制御することによって何れか一のカテゴリが指定される前記データキャリア手段を利用可能とするようにした。
【発明の効果】
【００１３】
本発明によれば、条件に応じて選択的に別々のデータキャリア手段を利用できるので、ＩＣカード機能の利用状況を条件に応じて分けておくことができるため、携帯端末装置の利便性を向上させるという効果が得られる。
【図面の簡単な説明】
【００１４】
【図１】本発明の一実施形態における携帯端末装置の構成の概略を示すブロック図である。
【図２】本発明の一実施形態における携帯電話１の画面表示の一例であって、「会社用」の予定の入力中を示す。
【図３】本発明の一実施形態における携帯電話１の画面表示の一例であって、「個人用」の予定の入力中を示す。
【図４】本発明の一実施形態における携帯電話１の画面表示の一例であって、カレンダー及び予定の有無を示す。
【図５】本発明の一実施形態における処理の流れの概略を示すフローチャートである。
【発明を実施するための形態】
【００１５】
以下、図面を参照して、本発明の一実施形態について説明する。
図１は、本実施形態に係る携帯電話１（携帯端末装置）の機能構成の概略を示すブロック図である。この図に示すように、携帯電話１は、主制御部２、主記憶部３、入力部４、出力部５、ＧＰＳ処理部６、電話無線部７、ＩＣ制御部８、スケジュール記憶部９（記憶手段）、計時部１０（計時機能）及び電源部１１を備えており、これら各構成要素がバスライン１２によって相互接続されている。また、本携帯電話１は、上記各構成要素に加えて、２つのデータキャリア部１３，１４（データキャリア手段）を備えている。
【００１６】
主制御部２は、主記憶部３に記憶された制御プログラム及び入力部４から入力された操作情報等に基づいて上記各構成要素を統括的に制御するものである。主記憶部３は、上記制御プログラムを記憶すると共に、主制御部２が各構成要素を制御するために行う制御演算の結果等を一時的に記憶する。入力部４は、各種操作キー及びマイク等から構成されており、当該各種操作キーの操作情報を主制御部２に出力する。出力部５は、表示器やスピーカ等から構成されており、主制御部２による制御の下に各種情報を表示或いは発音する。電源部１１は、図示しない電源ラインを介して各部へ電力を供給（給電）する。
ＧＰＳ処理部６は、ＧＰＳ衛星の信号を受信することによって携帯電話１の現在位置を取得又は割り出すものであり、主制御部２による制御の下に上記現在位置を出力部５に出力する。電話無線部７は、主制御部２による制御の下に基地局と通話に関する無線通信を行うものである。電話無線部７が基地局から受信した通話相手の音声は上記スピーカに出力されて発音され、上記マイクが取り込んだ通話者の音声は電話無線部７を介して基地局に送信される。
ＩＣ制御部８は、主制御部２による制御の下に、電源部１１から２つのデータキャリア部１３，１４への給電を制御するものである。データキャリア部１３，１４は、同一のＩＣカード機能を提供するものである。なお、本実施形態において、データキャリア部１３，１４が同一のＩＣカード機能を有するとは、各データキャリア部１３，１４に備えるＩＣカード機能の全てが同一のものだけに限らず、部分的に同一のＩＣカード機能を有するものであっても構わない。
スケジュール記憶部９は、主制御部２による制御の下に入力部４から入力された予定を記憶するものである。計時部１０は、時計機能により所定の時間を計測するものであり、スケジュール記憶部９に記憶される予定は、計時部１０から取得される時間に関連付けて記憶されている。
【００１７】
ここで、データキャリア部１３，１４は、例えば、ＩＤ情報等の各種情報が記憶されたＩＣチップと、このＩＣチップに接続されたアンテナコイルとを有し、アンテナコイルと、外部のリーダライタ装置とが所定周波数の電波で無線通信を行い、上記ＩＤ情報等を送受信するものである。具体的には、ＲＦＩＤ（Radio Frequency Identification：電波周波数認識）方式を採用し、ＩＳＯ／ＩＥＣ１４４４３等の一般的なＲＦ通信の標準規格に準拠しており、数センチメートルから数十センチメートルの範囲で無線通信が可能なものである。そして、電源部１１から給電されることにより、利用可能状態となる。ＩＣ制御部８は、主制御部２による制御の下に、データキャリア部１３又は１４の一方へ給電し、他方への給電を停止することにより、データキャリア部１３又は１４の一方を利用可能状態に切り替え、他方を利用不能状態に切り替える。主制御部２は、スケジュール記憶部９に記憶された予定内容を参照して、ＩＣ制御部８を制御する。即ち、主制御部２とＩＣ制御部８とで切替制御手段を構成するようになっている。
【００１８】
次に、このように構成された携帯電話１の特徴的動作について、図２〜図５を用いて説明する。ここで説明する動作は、スケジュール記憶部９に予定が登録されていることを前提としている。
図２〜図４は、出力部５が備える表示器の画面表示例である。図２及び図３は、ユーザがスケジュール機能に予定を入力している最中のものである。図４は、カレンダーを表示させた場合のものであり、予定が登録されている日については表示色を他と変える等の制御がなされる。
これらの図に示すように、ユーザは、自身の先々の行動予定を、携帯電話１に入力部４を用いて入力することができる。入力された予定は、スケジュール記憶部９に記憶される。そして、計時部１０の計時する時間が予定の日時になったときには、例えば、出力部が備えるスピーカから音声を発し、表示器にその旨を表示することによって、ユーザの記憶を喚起する。
【００１９】
ところで、本実施形態では、予定の入力時に、ユーザに「会社用」の予定なのか「個人用」の予定なのかを「カテゴリ」として入力させるようにしている。図２は「会社用」の予定の例、図３は「個人用」の予定の例である。
また、スケジュール記憶部９は、図２〜図４に示すような個々の予定の他に、『月〜金曜の９時〜１８時は、基本的には「会社用」の時間帯である』という基本設定を記憶している。この曜日及び時間帯の設定は、ユーザの入力により変更可能である。
この基本設定により、主制御部２は、『月〜金曜の９時〜１８時は、基本的に「会社用」の時間帯である』と判断し、『その他の時間帯は基本的に「個人用」の時間帯である』と判断する。そして、図２〜図４に示すようなスケジュール記憶部９に登録された予定があるときには、その予定を優先とし、予定の「カテゴリ」に基づいて、「会社用」の時間帯であるか「個人用」の時間帯であるかを判断する。
【００２０】
図５に示す本実施形態における処理の流れの概略を示すフローチャートを用いて、本実施形態における処理の流れを説明する。主制御部２は、所定の間隔でスケジュール記憶部９の内容をチェックし（ＳＴ１）、予定が登録されている時間になるか、基本設定された月〜金曜の９時又は１８時になると、次のステップへ進む。
例えば、図４に示す９月６日（火）のようにスケジュール記憶部９に予定が登録されていない日の場合には、計時部１０から取得される時間が９時になると（ＳＴ１）、主制御部２は、個人用の時間帯から会社用の時間帯に移行したと判断し（ＳＴ２）、ＩＣ制御部８に指示して、ＩＣ制御部８が、データキャリア部１３を利用可能状態とし、データキャリア部１４を利用不能状態とするように電源部１１からの給電を切り替える（ＳＴ３）。
また、計時部１０から取得される時間が１８時になると（ＳＴ１）、主制御部２は、会社用の時間帯から個人用の時間帯に移行したと判断し（ＳＴ２）、ＩＣ制御部８に指示して、ＩＣ制御部８が、データキャリア部１４を利用可能状態とし、データキャリア部１３を利用不能状態とするように電源部１１からの給電を切り替える（ＳＴ４）。
【００２１】
次に、図４に示す９月１５日（木）〜１６日（金）の場合について説明する。スケジュール記憶部９には、図２に示す内容の予定が登録されている。したがって、９月１５日（木）には、計時部１０から取得される時間が８時３０分になると（ＳＴ１）、主制御部２は、予定の「カテゴリ」が「会社用」であるので個人用の時間帯から会社用の時間帯に移行したと判断し（ＳＴ５）、ＩＣ制御部８に指示して、ＩＣ制御部８が、データキャリア部１３を利用可能状態とし、データキャリア部１４を利用不能状態とするように電源部１１からの給電を切り替える（ＳＴ６）。
この予定は、翌日１６日（金）まで連続しているので、１８時になっても、データキャリア部１３からデータキャリア部１４への切り替えは行わない。同様に、翌日１６日（金）の９時になっても、データキャリア部１４からデータキャリア部１３への切り替えは行わない。
計時部１０から取得される時間が１６日（金）の１９時になると（ＳＴ１）、主制御部２は、「カテゴリ」が「会社用」の予定が終了したので会社用の時間帯から個人用の時間帯に移行したと判断し（ＳＴ５）、ＩＣ制御部８に指示して、ＩＣ制御部８が、データキャリア部１４を利用可能状態とし、データキャリア部１３を利用不能状態とするように電源部１１からの給電を切り替える（ＳＴ７）。
【００２２】
次に、図４に示す９月９日（金）〜１１日（日）の場合について説明する。スケジュール記憶部９には、図３に示す内容の予定が登録されており、この予定は、１７時からの予定である。したがって、９月９日（金）には、主制御部２は、まず計時部１０から取得される時間が９時になると（ＳＴ１）、基本設定によって、個人用の時間帯から会社用の時間帯に移行したと判断し（ＳＴ２）、ＩＣ制御部８に指示して、ＩＣ制御部８が、データキャリア部１３を利用可能状態とし、データキャリア部１４を利用不能状態とするように電源部１１からの給電を切り替える（ＳＴ３）。
計時部１０から取得される時間が１７時になると（ＳＴ１）、予定の「カテゴリ」が「個人用」であるので会社用の時間帯から個人用の時間帯に移行したと判断し（ＳＴ５）、ＩＣ制御部８に指示して、ＩＣ制御部８が、データキャリア部１４を利用可能状態とし、データキャリア部１３を利用不能状態とするように電源部１１からの給電を切り替える（ＳＴ７）。
この予定は、翌々日１１日（日）まで連続しているので、９日（金）の１８時、１０日（土）の９時、１０日（土）の１８時及び１１日（日）の９時になっても、データキャリア部１３又はデータキャリア部１４への切り替えは行わない。
計時部１０から取得される時間が１１日（日）の１３時になると（ＳＴ１）、「カテゴリ」が「個人用」の予定は終了するが、基本設定によって日曜は終日個人用の時間帯とされているので（ＳＴ５）、主制御部２は、ＩＣ制御部８への給電切替指示は出さず、データキャリア部１４への給電を続行する（ＳＴ７）。
【００２３】
なお、本発明は上記実施形態に限定されるものではなく、例えば以下のような変形例が考えられる。
１）上記実施形態では、スケジュール記憶部９に記憶する予定に「カテゴリ」として「会社用」又は「個人用」の別を付加し、これによってデータキャリア部１３又はデータキャリア部１４のどちらを利用可能状態とするか切り替え制御しているが、実施にあたっては、例えば、スケジュール記憶部９には個人用の予定のみ記憶するようにし、予定が登録されている時間帯はすべて個人用として切り替え制御するようにしてもよい。
【００２４】
２）上記実施形態では、携帯電話１を一人の人物が会社用と個人用とで使い分ける場合を想定して、データキャリア部１３とデータキャリア部１４とを会社用と個人用とで使い分けるようにしているが、実施にあたっては、例えば、一台の携帯電話１を家族で共用する場合を想定して、データキャリア部を２つに限らず複数備え、各人用として使い分けるようにしてもよい。
この場合の所定の切替条件に基づく切り替え制御としては、例えば、スケジュール記憶部９に記憶する予定の「カテゴリ」としてその時間帯の使用者の氏名を付加するようにしておき、予定の時間になると、その使用者用のデータキャリア部を利用可能状態に切り替える等が考えられる。
このようにすると、例えばデータキャリア部が電子マネーの金額管理に利用されている場合、誰が幾ら使ったのかが判り、また、残高をそれぞれに管理することができる。
【００２５】
３）また、上記実施形態では、データキャリア部１３又はデータキャリア部１４のいずれを利用可能状態とするか、スケジュール記憶部９に記憶されている予定や基本設定によって自動的に切り替えるようにしているが、実施にあたっては、手動で切り替えを行うようにしてもよい。具体的には、携帯電話１の筐体に切替ボタン（操作手段）を設け、このボタンを操作することによって利用可能状態とするデータキャリア部を切り替える等が考えられる。
【００２６】
４）さらに、上記実施形態では、データキャリア部１３又はデータキャリア部１４のいずれを利用可能状態とするか、時間帯及び曜日並びに予定によって切り替えるようにしているが、実施にあたっては、ＧＰＳ衛星から受信する信号によって現在地を割り出す手段を設け、これにより割り出される現在地の情報によって切り替えを行うようにしてもよい。具体的には、例えば定期券を購入している区間の駅では「会社用」のデータキャリア部１３を利用可能状態とし、それ以外の駅では「個人用」のデータキャリア部１４を利用可能状態とする等が考えられる。
【符号の説明】
【００２７】
１…携帯電話（携帯端末装置）、  ２…主制御部（切替制御手段の一部）、  ３…主記憶部、  ４…入力部、  ５…出力部、  ６…ＧＰＳ処理部、  ７…電話無線部、  ８…ＩＣ制御部（切替制御手段の一部）、  ９…スケジュール記憶部（記憶手段）、  １０…計時部（計時機能）、  １１…電源部、  １２…バスライン、  １３，１４…データキャリア部（データキャリア手段）
【図１】
0005240725.tif 000002
【図２】
0005240725.tif 000003
【図３】
0005240725.tif 000004
【図４】
0005240725.tif 000005
【図５】
0005240725.tif 000006